(57)【要約】【課題】高精度なＲＦ波形情報を、少ないＲＦ波形のメモリ容量で再現できるＲＦ信号発生装置および磁気共鳴撮像装置を実現する。【解決手段】メモリ３１０に位相角度０度〜９０度の正弦波形を記憶し、メモリ３１０の読み出しアドレスを生成するデコーダ部３０２において、正弦波形の正負の極性情報および零値情報を生成し、さらに読み出しアドレスの出力順序をインクリメントあるいはデクリメントに設定することとしているので、メモリ３１０の位相角度０度〜９０度の正弦波形から、位相角度０度〜３６０度の正弦波形を出力することができ、メモリ３１０の記憶容量を１／４に減らすことができ、ひいてはメモリ容量の少ないゲートアレイを用いる際にメモリの増設等を行うことなく、安価にＲＦ信号発生回路２４０を構成することを実現させる。【選択図】      図３
2004159985.tif 000002
【特許請求の範囲】
【請求項１】
周期的ＲＦ波形の部分的な波形情報を記憶するメモリと、
前記波形情報を読み出すアドレスを生成するとともに前記波形情報の正負の極性情報を生成するアドレス生成部と、
前記極性情報に基づいて、前記波形情報に正負極性を付加して繰り返し出力し、一連の前記周期的ＲＦ波形を生成する出力部と、
を備えることを特徴とするＲＦ信号発生装置。
【請求項２】
前記アドレス生成部は、前記周期的ＲＦ波形の１波長分のアドレス情報をシーケンシャルに発生するアキュムレータ部および前記アドレス情報から前記メモリの読み出しアドレスを生成するデコーダ部を備えることを特徴とする請求項１に記載のＲＦ信号発生装置。
【請求項３】
前記デコーダ部は、シーケンシャルに発生する前記アドレス情報に同期して、前記読み出しアドレスを１つずつ増加あるいは減少する増減手段を備えることを特徴とする請求項２に記載のＲＦ信号発生装置。
【請求項４】
前記周期的ＲＦ波形は、正弦波形あるいは余弦波形であることを特徴とする請求項３に記載のＲＦ信号発生装置。
【請求項５】
前記波形情報は、前記正弦波形あるいは前記余弦波形の位相角度が０〜９０度の波形情報あるいは前記位相角度に９０度の整数倍を加算した同一範囲の波形情報であることを特徴とする請求項４に記載のＲＦ信号発生装置。
【請求項６】
前記増減手段は、前記波形情報の位相角度が９０度あるいは前記位相角度に９０度の整数倍を加算した位相角度で、前記増加あるいは前記減少の切り替えを行うことを特徴とする請求項５に記載のＲＦ信号発生装置。
【請求項７】
前記デコーダ部は、前記周期的ＲＦ波形の振幅の正値あるいは負値に応じた極性情報を発生することを特徴とする請求項２ないし６のいずれか１つに記載のＲＦ信号発生装置。
【請求項８】
前記デコーダ部は、さらに前記周期的ＲＦ波形の振幅の零値に応じた零値情報を発生することを特徴とする請求項２ないし６のいずれか１つに記載のＲＦ信号発生装置。
【請求項９】
前記デコード部および前記出力部は、複数の前記周期的ＲＦ波形に対応する前記複数の前記デコード部および前記出力部を備えることを特徴とする請求項２ないし８のいずれか１つに記載のＲＦ信号発生装置。
【請求項１０】
前記メモリ、前記デコード部および前記出力部は、前記読み出し周波数が前記複数倍のクロック周波数を有することを特徴とする請求項９に記載のＲＦ信号発生装置。
【請求項１１】
静磁場を形成する静磁場形成装置と、
勾配磁場を形成する勾配磁場形成手段と、
前記静磁場内でＲＦ磁場を送受信する送受信手段と、
前記勾配磁場形成手段、前記送受信手段を制御する制御部と、
を備える磁気共鳴撮像装置であって、
前記制御部は、前記ＲＦ磁場を形成する電気的な周期的ＲＦ波形の部分をなす波形情報を記憶するメモリを有し、前記波形情報を読み出すアドレス順序を増加あるいは減少する方向に切り替え、さらに正負の極性情報の生成を行うアドレス生成部を有し、前記極性情報に基づいて、前記波形情報に正負極性を付加して繰り返し出力し、一連の前記周期的ＲＦ波形を生成する出力部を有するＲＦ信号発生装置を備えることを特徴とする磁気共鳴撮像装置。
【発明の詳細な説明】
【０００１】
【発明の属する技術分野】
この発明は、ディジタル（ｄｉｇｉｔａｌ）的にＲＦ（ｒａｄｉｏ  ｆｒｅｑｕｅｎｃｙ）信号を発生させるＲＦ信号発生装置および磁気共鳴撮像装置に関する。
【０００２】
【従来の技術】
近年、ディジタル技術の進歩に伴い、高い周波数を有するＲＦ領域の波形も、ディジタル的に生成されつつある。この方法では、メモリ内に記憶されたＲＦ波形情報を繰り返し読み出し、出力を高速でＤ／Ａ変換することにより、目的とするＲＦ波形が生成される。（例えば、非特許文献１参照）。
【０００３】
また、ＲＦ領域の高周波磁場を用いる磁気共鳴撮像装置においては、ＲＦ波形の周波数および位相を高精度で制御し、さらには変調する必要があり、ディジタル的に生成されるＲＦ波形では、これら制御および変調が容易に行われる。
【０００４】
【非特許文献１】
上野  泰嗣、他１名、「ＰＬＤを使った正弦波信号発生器の設計に見る最適化の工夫」、ＤＥＳＩＧＮ  ＷＡＶＥ  ＭＧＡＺＩＮＥ、ＣＱ出版、１９９８年３月号、Ｐ．３４〜Ｐ．４８
【０００５】
【発明が解決しようとする課題】
しかしながら、上記従来技術によれば、ＲＦ波形を記憶するメモリに大きな容量が必要であった。すなわち、ＲＦ波形には、高精度な振幅および時間分解能が要求されるので、メモリのデータ長およびアドレス領域に大きなビット長を割り当てる必要があった。
【０００６】
特に、磁気共鳴撮像装置のＲＦ波形の変調等を行う処理は、ゲートアレイ（ｇａｔｅ  ａｒｒａｙ）を用いたプログラミングにより行われる。そして、この場合には、ゲートアレイ内のメモリにＲＦ波形情報が記憶される。このメモリ容量は、増大するゲートアレイのゲート数と比較して、容量値が小さく、ＲＦ波形の変調等を行う処理では、高精度な複数のＲＦ波形を記憶する上で技術的な障害となる。さらには、この技術的な障害を克服するためのメモリの増設等により費用の高騰を招く要因となっている。
【０００７】
これらのことから、高精度なＲＦ波形情報を、少ないＲＦ波形のメモリ容量で再現できるＲＦ信号発生装置および磁気共鳴撮像装置をいかに実現するかが重要となる。
【０００８】
この発明は、上述した従来技術による課題を解決するためになされたものであり、高精度なＲＦ波形情報を、少ないＲＦ波形のメモリ容量で再現できるＲＦ信号発生装置および磁気共鳴撮像装置を提供することを目的とする。
【０００９】
【課題を解決するための手段】
上述した課題を解決し、目的を達成するために、第１の観点の発明にかかるＲＦ信号発生装置は、周期的ＲＦ波形の部分的な波形情報を記憶するメモリと、前記波形情報を読み出すアドレスを生成するとともに前記波形情報の正負の極性情報を生成するアドレス生成部と、前記極性情報に基づいて、前記波形情報に正負極性を付加して繰り返し出力し、一連の前記周期的ＲＦ波形を生成する出力部と、を備えることを特徴とする。
【００１０】
この第１の観点による発明によれば、メモリに、周期的ＲＦ波形の部分的な波形情報を記憶し、アドレス生成部で、波形情報を読み出すアドレスを生成するとともに波形情報の正負の極性情報を生成し、出力部で、この記極性情報に基づいて、波形情報に正負極性を付加して繰り返し出力し、一連の前記周期的ＲＦ波形を生成することとしているので、周期的ＲＦ波形が正負対称である場合に、正負いずれかの波形をメモリに記憶するだけで、一連の周期的ＲＦ波形を生成することができ、メモリの容量を減らすことができる。
【００１１】
また、第２の観点の発明にかかるＲＦ信号発生装置は、前記アドレス生成部に、前記周期的ＲＦ波形の１波長分のアドレス情報をシーケンシャルに発生するアキュムレータ部および前記アドレス情報から前記メモリの読み出しアドレスを生成するデコーダ部を備えることを特徴とする。
【００１２】
この第２の観点の発明によれば、アドレス生成部は、アキュムレータ部で、周期的ＲＦ波形の１波長分のアドレス情報をシーケンシャルに発生し、デコーダ部で、このアドレス情報からメモリの読み出しアドレスを生成することとしているので、従来型のアドレス生成部であるアキュムレータ部に、デコーダ部を付加するだけで簡易にアドレス生成部を構成することができる。
【００１３】
また、第３の観点の発明にかかるＲＦ信号発生装置は、前記デコーダ部に、シーケンシャルに発生する前記アドレス情報に同期して、前記読み出しアドレスを１つずつ増加あるいは減少する増減手段を備えることを特徴とする。
【００１４】
この第３の観点の発明によれば、デコーダ部は、増減手段により、シーケンシャルに発生するアドレス情報に同期して、読み出しアドレスを１つずつ増加あるいは減少することとしているので、周期的ＲＦ波形が時間対称である場合に、時間対称をなすいずれかの波形をメモリに記憶するだけで、一連の周期的ＲＦ波形を生成することができ、メモリの容量を減らすことができる。
【００１５】
また、第４の観点の発明にかかるＲＦ信号発生装置は、前記周期的ＲＦ波形が、正弦波形あるいは余弦波形であることを特徴とする。
【００１６】
この第４の観点の発明によれば、周期的ＲＦ波形が、正弦波形あるいは余弦波形であることとしているので、磁気共鳴撮像装置で用いられる単一周波数からなるＲＦ波形を生成することができる。
【００１７】
また、第５の観点の発明にかかるＲＦ信号発生装置は、前記波形情報が、前記正弦波形あるいは前記余弦波形の位相角度が０〜９０度の波形情報あるいは前記位相角度に９０度の整数倍を加算した同一範囲の波形情報であることを特徴とする。
【００１８】
この第５の観点の発明によれば、波形情報が、正弦波形あるいは余弦波形の位相角度が０〜９０度の波形情報あるいは位相角度に９０度の整数倍を加算した同一範囲の波形情報であることとしているので、正弦波形あるいは余弦波形の全体を、波形の極性情報および読み出しアドレスの増減手段から構成することができる。
【００１９】
また、第６の観点の発明にかかるＲＦ信号発生装置は、前記増減手段が、前記波形情報の位相角度が９０度あるいは前記位相角度に９０度の整数倍を加算した位相角度で、前記増加あるいは前記減少の切り替えを行うことを特徴とする。
【００２０】
この第６の観点の発明によれば、増減手段は、波形情報の位相角度が９０度あるいは位相角度に９０度の整数倍を加算した位相角度で、増加あるいは減少の切り替えを行うこととしているので、連続的に変化する周期的ＲＦ波形を生成することができる。
【００２１】
また、第７の観点の発明にかかるＲＦ信号発生装置は、前記デコーダ部が、前記周期的ＲＦ波形の振幅の正値あるいは負値に応じた極性情報を発生することを特徴とする。
【００２２】
この第７の観点の発明によれば、デコーダ部が、周期的ＲＦ波形の振幅の正値あるいは負値に応じた極性情報を発生することとしているので、正負極性の連続的に変化する周期的ＲＦ波形を生成することができる。
【００２３】
また、第８の観点の発明にかかるＲＦ信号発生装置は、前記デコーダ部が、さらに前記周期的ＲＦ波形の振幅の零値に応じた零値情報を発生することを特徴とする。
【００２４】
この第８の観点の発明によれば、デコーダ部が、さらに周期的ＲＦ波形の振幅の零値に応じた零値情報を発生することとしているので、周期的ＲＦ波形の最大値、最小値を極値とすることができる。
【００２５】
また、第９の観点の発明にかかるＲＦ信号発生装置は、前記デコード部および前記出力部は、複数の前記周期的ＲＦ波形に対応する前記複数の前記デコード部および前記出力部を備えることを特徴とする。
【００２６】
この第９の観点の発明によれば、デコード部および出力部は、複数の周期的ＲＦ波形に対応する複数のデコード部および出力部を備えることとしているので、複数種類の周期的ＲＦ波形を、メモリの部分的なＲＦ波形情報から生成することができる。
【００２７】
また、第１０の観点の発明にかかるＲＦ信号発生装置は、前記メモリ、前記デコード部および前記出力部が、前記読み出し周波数が前記複数倍のクロック周波数を有することを特徴とする。
【００２８】
この第１０の観点の発明によれば、メモリ、デコード部および出力部が、読み出し周波数が複数倍のクロック周波数を有することとしているので、同一の読み出し周波数で、複数の周期的ＲＦ波形を生成することができる。
【００２９】
また、第１１の観点の発明にかかる磁気共鳴撮像装置は、静磁場を形成する静磁場形成装置と、勾配磁場を形成する勾配磁場形成手段と、前記静磁場内でＲＦ磁場を送受信する送受信手段と、前記勾配磁場形成手段、前記送受信手段を制御する制御部と、を備える磁気共鳴撮像装置であって、前記制御部は、前記ＲＦ磁場を形成する電気的な周期的ＲＦ波形の部分をなす波形情報を記憶するメモリを有し、前記波形情報を読み出すアドレス順序を増加あるいは減少する方向に切り替え、さらに正負の極性情報の生成を行うアドレス生成部を有し、前記極性情報に基づいて、前記波形情報に正負極性を付加して繰り返し出力し、一連の前記周期的ＲＦ波形を生成する出力部を有するＲＦ信号発生装置、を備えることを特徴とする。
【００３０】
この第１１の観点の発明によれば、制御部のＲＦ信号発生装置は、メモリに、ＲＦ磁場を形成する電気的な周期的ＲＦ波形の部分をなす波形情報を記憶し、アドレス生成部で、波形情報を読み出すアドレス順序を増加あるいは減少する方向に切り替え、さらに正負の極性情報の生成を行い、出力部で、この極性情報に基づいて、波形情報に正負極性を付加して繰り返し出力し、一連の周期的ＲＦ波形を生成することとしているので、周期的ＲＦ波形が正負対称である場合には、正負いずれかの波形をメモリに記憶するだけで、一連の周期的ＲＦ波形を生成し、さらに周期的ＲＦ波形が時間対称である場合には、時間対称をなすいずれかの波形をメモリに記憶するだけで、一連の周期的ＲＦ波形を生成し、正負対称および時間対称をなすＲＦ波形の部分ＲＦ波形をメモリに記憶するだけで、一連の周期的ＲＦ波形を生成することができ、ＲＦ波形の記憶に用いられるメモリの容量を減らすことができ、ひいては、ゲートアレイ等を用いてハードウェアを構成する際の簡略化および費用の削減を行うことができる。
【００３１】
【発明の実施の形態】
以下に添付図面を参照して、この発明にかかるＲＦ信号発生装置および磁気共鳴撮像装置の好適な実施の形態について説明する。なお、これにより本発明が限定されるものではない。
（実施の形態１）
まず、本実施の形態１にかかる磁気共鳴撮像装置の全体構成について説明する。図１に磁気共鳴撮像装置のブロック（ｂｌｏｃｋ）図を示す。同図に示すように、本装置はマグネットシステム（ｍａｇｎｅｔ  ｓｙｓｔｅｍ）１００を有する。マグネットシステム１００は主磁場コイル（ｃｏｉｌ）部１０２、勾配コイル部１０６およびＲＦコイル部１０８を有する。これら各コイル部は概ね円筒形の形状を有し、互いに同軸的に配置されている。また、マグネットシステム１００の概ね円柱状をなす撮像空間（ボア：ｂｏｒｅ）の中心部に、クレードル（ｃｒａｄｌｅ）１０４上に横臥状態で撮像の被検体１が配置される。
【００３２】
主磁場コイル部１０２は、マグネットシステム１００の内部空間に静磁場を形成する。静磁場の方向は概ね同軸的に配置された円筒状コイルの軸方向に平行である。すなわち、いわゆる水平磁場を形成する。主磁場コイル部１０２は、例えば超伝導コイルを用いて構成される。なお、超伝導コイルに限らず常伝導コイル等を用いて構成してもよい。
【００３３】
勾配コイル部１０６は、互いに垂直な３軸、すなわちスライス（ｓｌｉｃｅ）軸、位相エンコード軸および周波数エンコード軸の方向において、それぞれ静磁場強度に線形勾配を持たせるための３つの勾配磁場を形成する。ここで、スライス軸、位相エンコード軸および周波数エンコード軸は、相互間の垂直性を保ったまま前記座標軸に関して任意の傾きを持たせることも可能である。
【００３４】
ＲＦコイル部１０８は、静磁場空間に、被検体１の体内のスピンを励起するための高周波磁場を形成する。以下、高周波磁場を形成することをＲＦ励起信号の送信ともいう。また、ＲＦ励起信号をＲＦパルスともいう。ＲＦコイル部１０８は、励起されたスピンが生じる電磁波すなわち磁気共鳴信号を受信する。
【００３５】
ＲＦコイル部１０８は、図示しない送信用のコイルおよび受信用のコイルを有する。送信用のコイルおよび受信用のコイルは、同じコイルを兼用するかあるいはそれぞれ専用のコイルを用いる。
【００３６】
勾配コイル部１０６には、勾配駆動部１３０が接続されている。勾配駆動部１３０は、勾配コイル部１０６に駆動信号を与えて勾配磁場を発生させる。勾配駆動部１３０は、勾配コイル部１０６における３系統の勾配コイルに対応して、図示しない３系統の駆動回路を有する。
【００３７】
ＲＦコイル部１０８にはＲＦ駆動部１４０が接続されている。ＲＦ駆動部１４０はＲＦコイル部１０８に駆動信号を与えてＲＦパルスを送信し、被検体１の体内のスピンを励起する。
【００３８】
ＲＦコイル部１０８にはデータ収集部１５０が接続されている。データ収集部１５０は、ＲＦコイル部１０８が受信した受信信号を、サンプリング（ｓａｍｐｌｉｎｇ）によって取り込み、それをディジタルデータ（ｄｉｇｉｔａｌ  ｄａｔａ）として収集する。
【００３９】
勾配駆動部１３０、ＲＦ駆動部１４０およびデータ収集部１５０には、制御部１６０が接続されている。制御部１６０は、勾配駆動部１３０ないしデータ収集部１５０をそれぞれ制御して撮像を遂行する。
【００４０】
制御部１６０は、例えばコンピュータ（ｃｏｍｐｕｔｅｒ）等を用いて構成される。制御部１６０は図示しない記憶部を有する。記憶部は制御部１６０用の制御プログラム（ｐｒｏｇｒａｍ）であるパルスシーケンス（ｐｕｌｓｅ  ｓｅｑｕｅｎｃｅ）および各種のデータを記憶している。制御部１６０の機能は、コンピュータが記憶部に記憶されたパルスシーケンスを実行することにより実現され、また、この実行により、制御部１６０は、勾配駆動部１３０およびＲＦ駆動部１４０への駆動波形を生成する。
【００４１】
データ収集部１５０の出力側は、データ処理部１７０に接続されている。データ収集部１５０が収集したデータは、データ処理部１７０に入力される。データ処理部１７０は、例えばコンピュータ等を用いて構成される。データ処理部１７０は、図示しない記憶部を有する。この記憶部は、データ処理部１７０用のプログラムおよび各種のデータを記憶している。
【００４２】
データ処理部１７０は、制御部１６０に接続されている。データ処理部１７０は、制御部１６０の上位にあってそれを統括する。本装置の機能は、データ処理部１７０が記憶部に記憶されたプログラムを実行することによりを実現される。
【００４３】
データ処理部１７０は、データ収集部１５０が収集した磁気共鳴信号である、Ｋ空間上の生データを記憶部に記憶する。このＫ空間上の生データは２次元フーリエ変換により画像再構成が行われ、画像情報が生成される。その後、この画像情報は記憶部に記憶される。
【００４４】
データ処理部１７０には、表示部１８０および操作部１９０が接続されている。表示部１８０は、グラフィックディスプレー（ｇｒａｐｈｉｃ  ｄｉｓｐｌａｙ）等で構成される。操作部１９０はポインティングデバイス（ｐｏｉｎｔｉｎｇ  ｄｅｖｉｃｅ）を備えたキーボード（ｋｅｙｂｏａｒｄ）等で構成される。
【００４５】
表示部１８０は、データ処理部１７０から出力される再構成画像および各種の情報を表示する。操作部１９０は、オペレータによって操作され、各種の指令や情報等をデータ処理部１７０に入力する。オペレータは表示部１８０および操作部１９０を通じてインタラクティブ（ｉｎｔｅｒａｃｔｉｖｅ）に本装置を操作する。
【００４６】
図２は、制御部１６０の主としてＲＦ信号発生回路２４０およびその周辺回路を示している。制御部１６０は、ＣＰＵ２１０、記憶部２２０、バス２９０、インターフェース２３０、発信器３３０およびＲＦ部２００を含む。ここで、ＣＰＵ２１０は、制御部１６０全体を制御する。記憶部２２０は、インターフェース２３０を介してデータ処理部１７０から、パルスシーケンスを取得して保存する。ＲＦ部２００は、記憶部２２０のパルスシーケンスの情報に基づいて、ＲＦ波形を生成し、データ収集部１５０およびＲＦ駆動部１４０へ送信する。発信器３３０は、制御部１６０の基本クロックを発生し、図示しない配線により制御すると同時に、特にＲＦ部２００のＲＦ波形情報における基本クロックも発生する。
【００４７】
ここで、ＲＦ駆動部１４０へ送信されたＲＦ波形情報は、ＲＦ電気信号に変換させられ、ＲＦコイル部１０８を介して、被検体１に照射される。そして、被検体１をスピンの励起状態とする。また、ＲＦコイル部１０８で受信される被検体１からのＲＦ電気信号は、データ収集部１５０へ送信される。このＲＦ電気信号は、データ収集部１５０で検波処理が行われ、ＲＦ信号の除去および包絡線成分のみの抽出が行われる。
【００４８】
ＲＦ部２００は、ディジタル回路で構成される、ＲＦ信号発生回路２４０、包絡線信号発生回路２５０および乗算器２６０を含む。ＲＦ信号発生回路２４０は、記憶部２２０のパルスシーケンスから、ＲＦ波形の周波数情報および位相情報を取得し、この周波数および位相を有するＲＦ基本波形、例えば正弦波形あるいは余弦波形を生成する。なお、ＲＦ部２００は、ゲートアレイ（ｇａｔｅ  ａｒｒａｙ）を用いることにより、１つのＩＣ（ｉｎｔｅｇｒａｔｅｄ  ｃｉｒｃｕｉｔ）基板上に作成することができる。
【００４９】
また、包絡線信号発生回路２５０は、記憶部２２０のパルスシーケンスから、ＲＦ波形の包絡線情報を取得し、この包絡線波形、例えばをジンク（ｓｉｎｃ）波形等を生成する。ＲＦ信号発生回路２４０で生成されたＲＦ波形および包絡線信号発生回路２５０で生成された包絡線波形は、乗算器２６０で掛け算され、ＡＭ（ａｍｐｌｉｔｕｄｅ  ｍｏｄｕｌａｔｉｏｎ）変調が行われる。ＲＦ駆動部１４０は、この変調されたディジタル信号をアナログ（ａｎａｌｏｇ）の波形に変換して、ＲＦコイル部１０８に送信する。
【００５０】
図３にＲＦ信号発生回路２４０のブロック図を示す。ＲＦ信号発生回路２４０は、アドレス生成部３００、メモリ３１０および出力部３２０を含む。さらに、アドレス生成部３００は、アキュムレータ（ａｃｃｕｍｕｌａｔｏｒ）部３０１およびデコーダ部３０２を含み、出力部３２０は、零データ挿入部３２２および符号付加部３２１を含む。なお、各部を接続するバス上に示された数字は、アドレスバス（ａｄｄｒｅｓｓ  ｂｕｓ）あるいはデータバス（ｄａｔａ  ｂｕｓ）のビット（ｂｉｔ）数を示している。
【００５１】
メモリ３１０は、例えば、各アドレスに正弦波形の位相角度が０度から９０度までの振幅が読み込まれており、アドレス長を１０ビット、データ長を１３ビットとすると、概ね３．２５キロバイト（ｋｂｙｔｅ）のメモリ容量を有する。
【００５２】
図４に、メモリ３１０内に格納されるＲＦ波形情報を例示する。図４（Ａ）は、位相角度０度〜９０度の正弦波形を図示したものである。横軸はアドレス番号、縦軸は振幅を現している。アドレス長は、１０ビットであるので０〜１０２３を有し、データ長あるいは振幅は、１３ビットであるので、０〜８１９１のいずれかの値が、正弦波形に合わせた整数値として示されている。図４（Ｂ）に、メモリ３１０に格納される正弦波形情報を、アドレス値および振幅の対応表として示す。
【００５３】
図３に戻り、アキュムレータ部３０１は、パルスシーケンスからの周波数情報および位相情報に基づいて、繰り返しデコーダ部３０２の入力アドレスを発生する。この繰り返し周期は、周波数情報から決定され、また入力アドレス長は、発生させるＲＦ波形情報の最大時間分解能により決定される。メモリ３１０に位相角度０度〜９０度の１／４波長に当たる波形が、１０ビットで記憶されている場合には、４倍に当たる、１２ビット、すなわち０〜４０９５の入力アドレスが発生される。
【００５４】
デコーダ部３０２は、アキュムレータ部３０１で生成された入力アドレス情報から、メモリ３１０に対する読み出しアドレス情報、零値情報およびＲＦ波形の極性情報を、分離抽出し、さらには生成する。例えば、正弦波形の場合には、零値を示す入力アドレス、例えば０、２０４８で零値情報を出力する。また、正弦波形が正値を有する入力アドレス１〜２０４７では、正の極性情報を出力し、正弦波形が負値を有する入力アドレス２０４９〜４０９５では、負の極性情報を出力する。また、メモリ３１０に対する読み出しアドレス情報は、正弦波形の振幅が増加する入力アドレスの範囲では、入力アドレスに同期してカウントアップ（以下ではインクリメント：ｉｎｃｒｅｍｅｎｔと称する）し、正弦波形の振幅が減少する入力アドレスの範囲では、入力アドレスに同期してカウントダウン（以下ではデクリメント：ｄｅｃｒｅｍｅｎｔと称する）するカウンタにより生成される。
【００５５】
零データ挿入部３２２は、データバスを介して取得するメモリ３１０のデータ出力に、デコーダ部３０２からの零値情報に基づいて零値を挿入する。また、符号付加部３２１は、零データ挿入部３２２のデータ出力に、デコーダ部３０２からの極性情報に基づいて、１ビットの符号を付加し，乗算器２６０へデータを出力する。
【００５６】
なお、従来例では、メモリ３１０は、４倍のアドレス長、すなわち４倍の容量を有している。従って、正弦波形の例では、一波長分の振幅を格納するので、概ね７キロバイトの記憶容量を有している。また、デコーダ部３０２および出力部３２０が存在せず、アキュムレータ部３０１の入力アドレスが直接メモリに入力されている。
【００５７】
つづいて、図５のフローチャートを用いて、ＲＦ信号発生回路２４０の動作を説明する。なお、図６に、符号付加部３２１から出力される正弦波形を例示し、適宜参照して補足説明を行う。アキュムレータ部３０１は、入力アドレス値（以下、Ｋと略称する）、また、デコーダ部３０２は、読み出しアドレス値（以下、Ｉと略称する）をリセットして（ステップＳ５０１）、Ｋ＝０、Ｉ＝０とする。
【００５８】
その後、デコーダ部３０２は、入力アドレス値の判定を行い（ステップＳ５０２）、Ｋ＝０の場合には（ステップＳ５０２肯定）、零値情報をオンとする。また、零データ挿入部３２２は、オンとなった零値情報から、データバス上に零データを出力する（ステップＳ５０３）。図６では、ステップＳ５０２の矢印で指示される零値が出力される。そして、入力アドレス値のカウントトアップ、Ｋ＝Ｋ＋１を行い（ステップＳ５０４）、ステップＳ５０２に再度移行する。
【００５９】
その後、デコーダ部３０２は、Ｋ＝０でない場合に（ステップＳ５０２否定）、つぎの入力アドレス値を判定するステップに進み（ステップＳ５０６）、０＜Ｋ≦１０２４の場合には（ステップＳ５０６肯定）、極性情報を正にして、読み出しアドレス値をインクリメント、すなわちＩ＝Ｉ＋１を実行する（ステップＳ５０７）。これにより、符号付加部３２１は、正の極性情報を付加した、メモリ３１０のアドレスＩが増加する方向に振幅情報を出力する。図６では、ステップＳ５０６で指示される位相角度０度〜９０度の領域が出力される。そして、入力アドレス値のカウントトアップ、Ｋ＝Ｋ＋１を行い（ステップＳ５０８）、ステップＳ５０６に再度移行する。
【００６０】
その後、デコーダ部３０２は、０＜Ｋ≦１０２４でない場合に（ステップＳ５０６否定）、つぎの入力アドレス値を判定するステップに進み（ステップＳ５１０）、１０２４＜Ｋ≦２０４７の場合には（ステップＳ５１０肯定）、極性情報を正にして、読み出しアドレス値をデクリメント、すなわちＩ＝Ｉ―１を実行する（ステップＳ５１１）。これにより、符号付加部３２１は、正の極性情報を付加した、メモリ３１０のアドレスＩが減少する方向に振幅情報を出力する。図６では、ステップＳ５１０で示された位相角度９０度〜１８０度の領域が出力される。そして、入力アドレス値のカウントトアップ、Ｋ＝Ｋ＋１を行い（ステップＳ５１２）、ステップＳ５１０に再度移行する。
【００６１】
その後、デコーダ部３０２は、１０２４＜Ｋ≦２０４７でない場合に（ステップＳ５１０否定）、つぎの入力アドレス値を判定するステップに進み（ステップＳ５１４）、Ｋ＝２０４８の場合には（ステップＳ５１４肯定）、零値情報をオンとする。また、零データ挿入部３２２は、オンとなった零値情報から、データバス上に零データを出力する（ステップＳ５１５）。図６では、ステップＳ５１４で示された位相角度１８０度の値が出力される。そして、入力アドレス値のカウントトアップ、Ｋ＝Ｋ＋１を行い（ステップＳ５１６）、ステップＳ５１４に再度移行する。
【００６２】
その後、デコーダ部３０２は、Ｋ＝２０４８でない場合に（ステップＳ５１４否定）、つぎの入力アドレス値を判定するステップに進み（ステップＳ５１８）、２０４８＜Ｋ≦３０７２の場合には（ステップＳ５１８肯定）、極性情報を負にして、読み出しアドレス値をインクリメント、すなわちＩ＝Ｉ＋１を実行する（ステップＳ５１９）。これにより、符号付加部３２１は、負の極性情報を付加した、メモリ３１０のアドレスＩが増加する方向に振幅情報を出力する。図６では、ステップＳ５１８で示された位相角度１８０度〜２７０度の領域が出力される。そして、入力アドレス値のカウントトアップ、Ｋ＝Ｋ＋１を行い（ステップＳ５２０）、ステップＳ５１８に再度移行する。
【００６３】
その後、デコーダ部３０２は、２０４８＜Ｋ≦３０７２でない場合には（ステップＳ５１８否定）、つぎの入力アドレス値を判定するステップに進み（ステップＳ５２２）、３０７２＜Ｋ≦４０９５の場合には（ステップＳ５２２肯定）、極性情報を負にして、読み出しアドレス値をデクリメント、すなわちＩ＝Ｉ―１を実行する（ステップＳ５２３）。これにより、符号付加部３２１は、負の極性情報を付加した、メモリ３１０のアドレスＩが減少する方向に振幅情報を出力する。図６では、ステップＳ５２２で示された位相角度２７０度〜３６０度の領域が出力される。そして、入力アドレス値のカウントアップ、Ｋ＝Ｋ＋１を行い（ステップＳ５２４）、ステップＳ５１８に再度移行する。
【００６４】
その後、デコーダ部３０２は、３０７２＜Ｋ≦４０９５でない場合には（ステップＳ５２２否定）、一波長分の波形情報の出力を終了したので、次の波形の出力を続けるかどうかを判定する（ステップＳ５２６）。波形の出力を続ける場合には（ステップＳ５２６肯定）、入力アドレス値および読み出しアドレス値をリセットして、Ｋ＝０、Ｉ＝０とする（ステップＳ５２７）。そして、ステップＳ５０２に移行し、入力アドレス値を判定するステップを再度実行する。
【００６５】
また、デコーダ部３０２が、次の波形の出力を続けない場合には（ステップＳ５２６否定）、本処理を終了する。
【００６６】
上述してきたように、本実施の形態１では、メモリ３１０に位相角度０度〜９０度の正弦波形を記憶し、メモリ３１０の読み出しアドレスを生成するデコーダ部３０２において、正弦波形の正負の極性情報および零値情報を生成し、さらに読み出しアドレスの出力順序をインクリメントあるいはデクリメントに設定することとしているので、メモリ３１０の位相角度０度〜９０度の正弦波形から、位相角度０度〜３６０度の正弦波形を出力することができ、メモリ３１０の記憶容量を１／４に減らすことができ、ひいてはメモリ容量の少ないゲートアレイを用いる際にメモリの増設等を行うことなく、安価にＲＦ信号発生回路２４０を構成することができる。
【００６７】
また、本実施の形態では、位相角度０度〜９０度の正弦波形をメモリ３１０に記憶することとしたが、位相角度９０度〜１８０度、位相角度１８０度〜２７０度、位相角度２７０度〜３６０度、のいずれでも良い。
【００６８】
また、本実施の形態では、正弦波形をメモリ３１０に記憶し、出力することとしたが、余弦波形をメモリ３１０に記憶して、同様に出力することもできる。
【００６９】
また、本実施の形態では、零値情報をデコーダ部３０２で生成し、零データ挿入部３２２で零値を挿入することとしたが、これを用いることなく正弦波形を生成することも全く同様にできる。
【００７０】
また、本実施の形態では、主磁場コイル部１０２に水平磁場型のものを用いたが、垂直磁場型の主磁場コイル部を用いることもできる。
（実施の形態２）
ところで、上記実施の形態１では、正弦波形あるいは余弦波形を発生させることとしたが、正弦波形および余弦波形を同時に発生させ、クオドラチャ（ｑｕａｄｒａｔｕｒｅ）方式として機能させることもできる。そこで本実施の形態２では、クオドラチャ方式とする場合を示すことにする。
【００７１】
図７は、本実施の形態２にかかるＲＦ部７００の具体的な構成を示す回路図である。なお、このＲＦ部７００は、図２に示したＲＦ部２００に対応するものであり、その他の構成については、図２に示したものと同様のものとなるので、ここではその詳細な説明を省略する。
【００７２】
ＲＦ部７００は、ＲＦ信号発生回路７４０、包絡線信号発生回路２５０および乗算器７６０および７７０を含む。ＲＦ信号発生回路７４０は、記憶部２２０のパルスシーケンスから、ＲＦ波形の周波数情報および位相情報を取得し、この周波数および位相を有する正弦波形および余弦波形を生成する。なお、ＲＦ部７００のクロック発生器として、発信器３３０および倍周波発信器７１０が接続される。発信器３３０および倍周波発信器７１０は、同期しており、倍周波発信器７１０は、発信器３３０の２倍周波数を有する。
【００７３】
また、包絡線信号発生回路２５０は、記憶部２２０のパルスシーケンスから、ＲＦ波形の包絡線情報を取得し、この包絡線波形、例えばジンク（ｓｉｎｃ）波形を生成する。ＲＦ信号発生回路７４０で生成された正弦波形および余弦波形と、包絡線信号発生回路２５０で生成された包絡線波形は、乗算器７６０および７７０で掛け算され、ＡＭ（ａｍｐｌｉｔｕｄｅ  ｍｏｄｕｌａｔｉｏｎ）変調が行われる。ＲＦ駆動部１４０は、この変調された位相角度が９０度異なる正弦波形および余弦波形を、アナログの波形に変換して、ＲＦコイル部１０８に送信する。
【００７４】
図８にＲＦ信号発生回路７４０のブロック図を示す。ＲＦ信号発生回路７４０は、アドレス生成部８００、メモリ３１０および出力部８２０を含む。さらに、アドレス生成部８００は、アキュムレータ（ａｃｃｕｍｕｌａｔｏｒ）部３０１およびデコーダ部８０２、８０３を含み、出力部８２０は、零データ挿入部８２２、８２３および符号付加部８３１、８３２を含む。
【００７５】
メモリ３１０は、実施の形態１と全く同様であるので説明を省略する。
【００７６】
アキュムレータ部３０１は、パルスシーケンスからの周波数情報および位相情報に基づいて、繰り返し入力アドレスを発生する。この繰り返し周期は、周波数情報から決定され、また入力アドレス長は、発生させるＲＦ波形情報の時間分解能により決定される。メモリ３１０に位相角度０度〜９０度の１／４波長に当たる波形が記憶されている場合には、４倍に当たる、１２ビット、すなわち０〜４０９５の入力アドレスが発生される。
【００７７】
デコーダ部８０２、８０３は、アキュムレータ部３０１で生成された入力アドレス情報から、メモリ３１０に対する読み出しアドレス情報、零値情報およびＲＦ波形の極性情報を、分離抽出し、さらには生成する。
【００７８】
ここで、デコーダ部８０２は、正弦波形の出力情報を生成し、零値を示す入力アドレス、例えば０、２０４８で零値情報を零データ挿入部８２２に出力する。また、正弦波形が正値を有する入力アドレス１〜２０４７では、正の極性情報を出力し、正弦波形が負値を有する入力アドレス２０４９〜４０９５では、負の極性情報を出力する。また、メモリ３１０に対する読み出しアドレス情報は、正弦波形の振幅が増加する入力アドレスの範囲では、入力アドレス情報に同期してインクリメントし、正弦波形の振幅が減少する入力アドレスの範囲では、入力アドレス情報に同期してデクリメントするカウンタにより生成される。
【００７９】
ここで、デコーダ部８０３は、余弦波形の出力情報を生成し、零値を示す入力アドレス、例えば１０２４、３０７２で零値情報を零データ挿入部８２３に出力する。また、余弦波形が正値を有する入力アドレス１〜１０２３および３０７３〜４０９５では、正の極性情報を出力し、正弦波形が負値を有する入力アドレス１０２５〜４０９５では、負の極性情報を出力する。また、メモリ３１０に対する読み出しアドレス情報は、余弦波形の振幅が増加する入力アドレスの範囲では、入力アドレス情報に同期してインクリメントし、正弦波形の振幅が減少する入力アドレスの範囲では、入力アドレス情報に同期してデクリメントするカウンタにより生成される。なお、デコーダ部８０２および８０３の出力は、セレクタ（ｓｅｌｅｃｔｏｒ）８０４により、交互に切り替えら、メモリ３１０に出力される。
【００８０】
零データ挿入部８２２および８２３は、データバスを介して取得するメモリ３１０のデータ出力に、デコーダ部８０２および８０３からの零値情報に基づいて零値を挿入する。
【００８１】
符号付加部８３１および８３２は、零データ挿入部８２２および８２３のデータ出力に、デコーダ部８０２および８０３からの極性情報に基づいて、符号を付加し、乗算器７６０および７７０にＲＦ波形情報を出力する。
【００８２】
ここで、デコーダ部８０２、零データ挿入部８２２および符号付加部８３１は、正弦波発生部８６０を構成し、デコーダ部８０３、零データ挿入部８２３および符号付加部８３２は、余弦波発生部８６１を構成する。
【００８３】
また、アキュムレータ部３０１には、発信器３３０が接続され、正弦波発生部８６０および余弦波発生部８６１には、倍周波発信器７１０が接続される。ここで、正弦波発生部８６０および余弦波発生部８６１を、２倍周波数で交互に動作させることにより、発信器３３０の周波数で動作し、かつ正弦波形および余弦波形を発生させる。なお、交互動作は、正弦波発生部８６０および余弦波発生部８６１の倍周波発信器７１０からのクロック入力を反転させること等により行われる。
【００８４】
つづいて、図９および１０のフローチャートを用いて、ＲＦ信号発生回路７４０の動作を説明する。なお、図１１に、符号付加部８３１および８３２から出力される正弦波形および余弦波形を例示し、適宜参照して補足説明を行う。アキュムレータ部３０１は、入力アドレス値（以下、Ｋと略称する）、また、デコーダ部８０２および８０３は、読み出しアドレス値（以下、ＳＩおよびＣＩと略称する）をリセットして（ステップＳ９０１）、Ｋ＝０、ＳＩ＝０、ＣＩ＝１０２３とする。
【００８５】
その後、デコーダ部８０２および８０３は、入力アドレス値の判定を行い（ステップＳ９０２）、Ｋ＝０の場合には（ステップＳ９０２肯定）、デコーダ部８０２は、零値情報をオンとし、デコーダ部８０３は、極性情報を正とする。そして、零データ挿入部８２２は、オンとなった零値情報から、データバス上に零データを出力し、符号付加部８３２は、正の極性情報を付加した、メモリ３１０のアドレスＣＩの振幅情報を出力する。（ステップＳ９０３）。図１１では、ステップＳ９０２の矢印で示される零値（図１１（Ａ）正弦波形）および振幅８１９２（図１１（Ｂ）余弦波形）が出力される。そして、入力アドレス値のカウントトアップ、Ｋ＝Ｋ＋１を行い（ステップＳ９０４）、ステップＳ９０２に再度移行する。
【００８６】
その後、デコーダ部８０２および８０３は、Ｋ＝０でない場合に（ステップＳ９０２否定）、つぎの入力アドレス値を判定するステップに進み、入力アドレス値の判定を行い（ステップＳ９０６）、０＜Ｋ＜１０２４の場合には（ステップＳ９０６肯定）、デコーダ部８０２は、極性情報を正とし、読み出しアドレス値をインクリメント、すなわちＳＩ＝ＳＩ＋１を実行し、デコーダ部８０３は、極性情報を正とし、読み出しアドレス値をデクリメント、すなわちＣＩ＝ＣＩ―１を実行する（ステップＳ９０７）。また、符号付加部８３１は、正の極性情報を付加した、メモリ３１０のアドレスＳＩの増加する方向に振幅情報を出力し、符号付加部８３２は、正の極性情報を付加した、メモリ３１０のアドレスＣＩの減少する方向に振幅情報を出力する。図１１では、ステップＳ９０６の矢印で指示される位相角度０度〜９０度の範囲（図１１（Ａ）正弦波形、図１１（Ｂ）余弦波形）が出力される。そして、入力アドレス値のカウントトアップ、Ｋ＝Ｋ＋１を行い（ステップＳ９０８）、ステップＳ９０６に再度移行する。
【００８７】
その後、デコーダ部８０２および８０３は、０＜Ｋ＜１０２４でない場合に（ステップＳ９０６否定）、つぎの入力アドレス値を判定するステップに進み、入力アドレス値の判定を行い（ステップＳ９１０）、Ｋ＝１０２４の場合には（ステップＳ９１０肯定）、デコーダ部８０２は、極性情報を正とし、読み出しアドレス値をデクリメント、すなわちＳＩ＝ＳＩ−１を実行し、デコーダ部８０３は、零値情報をオンとする。そして、符号付加部８３１は、正の極性情報を付加した、メモリ３１０のアドレスＳＩの減少する方向に振幅情報を出力し、零データ挿入部８２３は、オンとなった零値情報から、データバス上に零データを出力しする（ステップＳ９１１）。図１１では、ステップＳ９１０の矢印で指示される位相角度９０度の値（図１１（Ａ）正弦波形、図１１（Ｂ）余弦波形）が出力される。そして、入力アドレス値のカウントトアップ、Ｋ＝Ｋ＋１を行い（ステップＳ９１２）、ステップＳ９１０に再度移行する。
【００８８】
その後、デコーダ部８０２および８０３は、Ｋ＝１０２４でない場合に（ステップＳ９１０否定）、つぎの入力アドレス値を判定するステップに進み、入力アドレス値の判定を行い（ステップＳ９１４）、１０２４＜Ｋ＜２０４８の場合には（ステップＳ９１４肯定）、デコーダ部８０２は、極性情報を正とし、読み出しアドレス値をデクリメント、すなわちＳＩ＝ＳＩ−１を実行し、デコーダ部８０３は、極性情報を負とし、読み出しアドレス値をインクリメント、すなわちＣＩ＝ＣＩ＋１を実行する。そして、符号付加部８３１は、正の極性情報を付加した、メモリ３１０のアドレスＳＩの減少する方向に振幅情報を出力し、符号付加部８３２は、負の極性情報を付加した、メモリ３１０のアドレスＣＩの増加する方向に振幅情報を出力する（ステップＳ９１５）。図１１では、ステップＳ９１４の矢印で指示される位相角度９０度〜１８０度の範囲（図１１（Ａ）正弦波形、図１１（Ｂ）余弦波形）が出力される。そして、入力アドレス値のカウントトアップ、Ｋ＝Ｋ＋１を行い（ステップＳ９１６）、ステップＳ９１４に再度移行する。
【００８９】
その後、デコーダ部８０２および８０３は、１０２４＜Ｋ＜２０４８でない場合に（ステップＳ９１４否定）、つぎの入力アドレス値を判定するステップに進み、入力アドレス値の判定を行い（ステップＳ９１８）、Ｋ＝２０４８の場合には（ステップＳ９１８肯定）、デコーダ部８０２は、零値情報をオンとし、デコーダ部８０３は、極性情報を負とし、読み出しアドレス値をデクリメント、すなわちＣＩ＝ＣＩ−１を実行する。そして、零データ挿入部８２２は、オンとなった零値情報から、データバス上に零データを出力し、符号付加部８３２は、負の極性情報を付加した、メモリ３１０のアドレスＣＩの減少する方向に振幅情報を出力する（ステップＳ９１９）。図１１では、ステップＳ９１８の矢印で指示される位相角度１８０度の値（図１１（Ａ）正弦波形、図１１（Ｂ）余弦波形）が出力される。そして、入力アドレス値のカウントトアップ、Ｋ＝Ｋ＋１を行い（ステップＳ９２０）、ステップＳ９１８に再度移行する。
【００９０】
その後、デコーダ部８０２および８０３は、Ｋ＝２０４８でない場合に（ステップＳ９１８否定）、つぎの入力アドレス値を判定するステップに進み、入力アドレス値の判定を行い（ステップＳ９２２）、２０４８＜Ｋ＜３０７２の場合には（ステップＳ９２２肯定）、デコーダ部８０２は、極性情報を負とし、読み出しアドレス値をインクリメント、すなわちＳＩ＝ＳＩ＋１を実行し、デコーダ部８０３は、極性情報を負とし、読み出しアドレス値をデクリメント、すなわちＣＩ＝ＣＩ−１を実行する。そして、符号付加部８３１は、負の極性情報を付加した、メモリ３１０のアドレスＳＩの増加する方向に振幅情報を出力し、符号付加部８３２は、負の極性情報を付加した、メモリ３１０のアドレスＣＩの減少する方向に振幅情報を出力する（ステップＳ９２３）。図１１では、ステップＳ９２２の矢印で指示される位相角度１８０〜２７０度の範囲（図１１（Ａ）正弦波形、図１１（Ｂ）余弦波形）が出力される。そして、入力アドレス値のカウントトアップ、Ｋ＝Ｋ＋１を行い（ステップＳ９２４）、ステップＳ９２２に再度移行する。
【００９１】
その後、デコーダ部８０２および８０３は、２０４８＜Ｋ＜３０７２でない場合に（ステップＳ９２２否定）、つぎの入力アドレス値を判定するステップに進み、入力アドレス値の判定を行い（ステップＳ９２６）、Ｋ＝３０７２の場合には（ステップＳ９２６肯定）、デコーダ部８０２は、極性情報を負とし、読み出しアドレス値をデクリメント、すなわちＳＩ＝ＳＩ−１を実行し、デコーダ部８０３は、零値情報をオンとする。そして、符号付加部８３１は、負の極性情報を付加した、メモリ３１０のアドレスＳＩの減少する方向に振幅情報を出力し、、零データ挿入部８２３は、オンとなった零値情報から、データバス上に零データを出力する（ステップＳ９２７）。図１１では、ステップＳ９２６の矢印で指示される位相角度２７０度の値（図１１（Ａ）正弦波形、図１１（Ｂ）余弦波形）が出力される。そして、入力アドレス値のカウントトアップ、Ｋ＝Ｋ＋１を行い（ステップＳ９２８）、ステップＳ９２６に再度移行する。
【００９２】
その後、デコーダ部８０２および８０３は、Ｋ＝３０７２でない場合に（ステップＳ９２６否定）、つぎの入力アドレス値を判定するステップに進み、入力アドレス値の判定を行い（ステップＳ９３０）、３０７２＜Ｋ＜４０９５の場合には（ステップＳ９３０肯定）、デコーダ部８０２は、極性情報を負とし、読み出しアドレス値をデクリメント、すなわちＳＩ＝ＳＩ−１を実行し、デコーダ部８０３は、極性情報を正とし、読み出しアドレス値をインクリメント、すなわちＣＩ＝ＣＩ＋１を実行する。そして、符号付加部８３１は、負の極性情報を付加した、メモリ３１０のアドレスＳＩの減少する方向に振幅情報を出力し、符号付加部８３２は、正の極性情報を付加した、メモリ３１０のアドレスＣＩの増加する方向に振幅情報を出力する（ステップＳ９３１）。図１１では、ステップＳ９３０の矢印で示される位相角度２７０〜３６０度の範囲（図１１（Ａ）正弦波形、図１１（Ｂ）余弦波形）が出力される。そして、入力アドレス値のカウントトアップ、Ｋ＝Ｋ＋１を行い（ステップＳ９３２）、ステップＳ９３０に再度移行する。
【００９３】
その後、デコーダ部８０２および８０３は、３０７２＜Ｋ＜４０９５でない場合には（ステップＳ９３０否定）、一波長分の波形情報の出力を終了したので、次の波形の出力を続けるかどうかを判定する（ステップＳ９３４）。波形の出力を続ける場合には（ステップＳ９３４肯定）、入力アドレス値および読み出しアドレス値をリセットして、Ｋ＝０、ＳＩ＝０、ＣＩ＝１０２３とする（ステップＳ９３５）。そして、ステップＳ９０２に移行し、入力アドレス値を判定するステップを再度実行する。
【００９４】
また、デコーダ部８０２および８０３は、次の波形の出力を続けない場合には（ステップＳ９３４否定）、本処理を終了する。
【００９５】
上述してきたように、本実施の形態２では、正弦波形および余弦波形ごとに、デコーダ部８０２および８０３、零データ挿入部８２２および８２３、並びに符号付加部８３１および８３２を有し、これらを２倍周波数のクロックで動作させることとしているので、メモリ３１０の位相角度０度〜９０度の正弦波形から、位相角度０度〜３６０度の正弦波形および余弦波形を出力することができ、少ないメモリ容量でＲＦ波形を生成することができ、ひいてはメモリ容量の少ないゲートアレイを用いる際にメモリの増設等を行うことなく、安価にクオドラチャ用のＲＦ信号発生回路７４０を構成することができる。
【００９６】
また、本実施の形態２では、デコーダ部８０２および８０３、零データ挿入部８２２および８２３、並びに符号付加部８３１および８３２を、正弦波発生部８６０および余弦波発生部８６１として別構成としたが、機能上の区別がなされれば、ハードウェア上で区別される必要はない。
【００９７】
【発明の効果】
以上説明したように、本発明によれば、制御部のＲＦ信号発生装置は、メモリに、ＲＦ磁場の基となる周期的ＲＦ波形の部分をなす波形情報を記憶し、アドレス生成部で、波形情報を読み出すアドレス順序を増加あるいは減少する方向に切り替え、さらに正負の極性情報の生成を行い、出力部で、この極性情報に基づいて、波形情報に正負極性を付加して繰り返し出力し、一連の周期的ＲＦ波形を生成することとしているので、周期的ＲＦ波形が正負対称である場合には、正負いずれかの波形をメモリに記憶するだけで、一連の周期的ＲＦ波形を生成し、さらに周期的ＲＦ波形が時間対称である場合には、時間対称をなすいずれかの波形をメモリに記憶するだけで、一連の周期的ＲＦ波形を生成し、正負対称および時間対称をなすＲＦ波形の部分ＲＦ波形をメモリに記憶するだけで、一連の周期的ＲＦ波形を生成することができ、ＲＦ波形の記憶に用いられるメモリの容量を減らすことができ、ひいては、ゲートアレイ等を用いてハードウェアを構成する際の簡略化および費用の削減を行うことができる。
【図面の簡単な説明】
【図１】磁気共鳴撮像装置の全体構成を示すブロック図である。
【図２】実施の形態１の制御部の構成を示すブロック図である。
【図３】実施の形態１のＲＦ信号発生回路を示すブロック図である。
【図４】実施の形態１のメモリの記憶波形を示す図である。
【図５】実施の形態１のＲＦ信号発生回路の動作を示すフローチャートである。
【図６】実施の形態１のＲＦ信号発生回路の出力波形を示す図である。
【図７】実施の形態２のＲＦ部の構成を示すブロック図である。
【図８】実施の形態２のＲＦ信号発生回路を示すブロック図である。
【図９】実施の形態２のＲＦ信号発生回路の動作を示すフローチャートである（その１）。
【図１０】実施の形態２のＲＦ信号発生回路の動作を示すフローチャートである（その２）。
【図１１】実施の形態２のＲＦ信号発生回路の出力波形を示す図である。
【符号の説明】
１  被検体
１００  マグネットシステム
１０２  主磁場コイル部
１０６  勾配コイル部
１０８  ＲＦコイル部
１３０  勾配駆動部
１４０  ＲＦ駆動部
１５０  データ収集部
１６０  制御部
１７０  データ処理部
１８０  表示部
１９０  操作部
２００、７００  ＲＦ部
２２０  記憶部
２３０  インターフェース
２４０、７４０  ＲＦ信号発生回路
２５０  包絡線信号発生回路
２６０、７６０、７７０  乗算器
２９０  バス
３００、８００  アドレス生成部
３０１  アキュムレータ部
３０２、８０２、８０３  デコーダ部
３１０  メモリ
３２０、８２０  出力部
３２１、８３１、８３２  符号付加部
３２２、８２２、８２３  零データ挿入部
３３０  発信器
７１０  倍周波発信器
８０４  セレクタ
８６０  正弦波発生部
８６１  余弦波発生部
【図１】
2004159985.tif 000003
【図２】
2004159985.tif 000004
【図３】
2004159985.tif 000005
【図４】
2004159985.tif 000006
【図５】
2004159985.tif 000007
【図６】
2004159985.tif 000008
【図７】
2004159985.tif 000009
【図８】
2004159985.tif 000010
【図９】
2004159985.tif 000011
【図１０】
2004159985.tif 000012
【図１１】
2004159985.tif 000013